(57)【要約】【課題】  受皿を上下２段に設置可能な加熱調理器において、上下受皿に載置されている食品を明るい照明により加熱進行状況がはっきり観察できるようにする。【解決方法】  食品１を収納する加熱室２と、加熱室２内部に配置され、食品１を載置する上下２段からなる上受皿７ａと下受皿７ｂを備えた加熱調理器において、加熱室２の天井部２ａと上受皿７ａ間の加熱室２の側壁面に上受皿７ａの食品１を照明するための上照明窓１６ａを、上受皿７ａと下受皿７ｂ間の加熱室２の側壁面に下受皿７ｂの食品１を照明するための下照明窓１６ｂをそれぞれ設ける。【選択図】  図２
2005098601.tif 000002
【特許請求の範囲】
【請求項１】
食品（１）を収納する加熱室（２）と、加熱室（２）の上部外側に設けられた上ヒータ（３）と、加熱室（２）内部に配置され食品（１）を載置する上下２段からなる上受皿（７ａ）、下受皿（７ｂ）と、加熱室（２）の底面部に設けられ、食品（１）等を載置可能とした誘電体からなる食品載置板（９）と、高周波を発生するマグネトロン（１０）と、このマグネトロン（１０）から発生する高周波を加熱室（２）に拡散させる回転アンテナ（１１）と、上面が前記食品載置板（９）を共有し、底面が金属板（１３ａ）で覆われた空隙（１３）とを備え、この空隙（１３）に前記回転アンテナ（１１）と、マグネトロン（１０）からの高周波を導く導波部（１４）を備えた加熱調理器において、加熱室（２）の天井部（２ａ）と上受皿（７ａ）間の加熱室（２）の側壁面に上受皿（７ａ）の食品（１）を照明するための上照明窓（１６ａ）を、上受皿（７ａ）と下受皿（７ｂ）間の加熱室（２）の側壁面に下受皿（７ｂ）の食品（１）を照明するための下照明窓（１６ｂ）をそれぞれ設けたことを特徴とする加熱調理器。
【請求項２】
上照明窓（１６ａ）と下照明窓（１６ｂ）の近傍に加熱室（２）内を照明する光源である上光源（１７ａ）と下光源（１７ｂ）とをそれぞれ設けたことを特徴とする請求項１記載の加熱調理器。
【請求項３】
上受皿（７ａ）もしくは下受皿（７ｂ）のうちいずれか一方の受皿（７）しか使用しないときはいずれか一方の照明窓（１６）の光源（１７）を消灯することを特徴とする請求項１、請求項２記載の加熱調理器。
【請求項４】
２つの照明窓（１６）の光源（１７）を１つの光源（１７）で構成することを特徴とする請求項１記載の加熱調理器。
【発明の詳細な説明】
【技術分野】
【０００１】
本発明は、加熱調理器における２段に置かれた受皿の食品を照らし出す照明に関するものである。
【背景技術】
【０００２】
加熱調理器においては加熱室に載置された食品の加熱状況を観察する場合が良くある。特に、初めての調理で加熱しすぎてしまうと硬くなってしまう食品とか、沸騰したとき水が器からこぼれてはまずい食品などは特に注意深く観察する必要がある。
【０００３】
また、クッキーを焼くときなども材料である砂糖や小麦粉、バターなどの混合比が初めての場合などにおいては、焦げ過ぎないように加熱の進行状況をよく見守る必要がある。
【０００４】
従って、加熱室内がよく観察できるよう明るい加熱室であることが必要である。このような状況下において特許文献（特開２００２−３６４８５７号公報）に示すものは図５で示すように加熱調理器５０の加熱室５１内に食品５２を載置する上下２段からなる上受皿５３ａと下受皿５３ｂを備え、これら受皿５３の食品５２を照らす照明灯５４を加熱室５１の外部上方の後部壁面に設けられているものがあった。
【０００５】
【特許文献１】特開２００２−３６４８５７号公報
【発明の開示】
【発明が解決しようとする課題】
【０００６】
上記従来の技術にあっては、照明灯５４が加熱室５１の外部上方の後部壁面に設けられているので上受皿５３ａの食品５２は照明灯５４により照らし出されよく観察ができるが、下受皿５３ｂの食品５２は上受皿５３ａによって照明灯５４の照明がさえぎられてしまう。
【０００７】
従って、上受皿５３ａの前部においてドア５５との隙間、後部において加熱室５１後部壁面の隙間、それと上受皿５３ａと加熱室５１の側壁から漏れる照明だけとなるので、下受皿５３ｂの食品５２は良く見えないという問題があった。
【課題を解決するための手段】
【０００８】
本発明は上述の課題を解決するためになされたものであり、食品を収納する加熱室と、加熱室の上部外側に設けられた上ヒータと、加熱室内部に配置され食品を載置する上下２段からなる上受皿、下受皿と、加熱室の底面部に設けられ、食品等を載置可能とした誘電体からなる食品載置板と、高周波を発生するマグネトロンと、このマグネトロンから発生する高周波を加熱室に拡散させる回転アンテナと、上面が前記食品載置板を共有し、底面が金属板で覆われた空隙とを備え、この空隙に前記回転アンテナと、マグネトロンからの高周波を導く導波部を備えた加熱調理器において、加熱室の天井部と上受皿間の加熱室の側壁面に上受皿の食品を照明するための上照明窓を、上受皿と下受皿間の加熱室の側壁面に下受皿の食品を照明するための下照明窓をそれぞれ設けたものである。
【０００９】
また、上照明窓と下照明窓の近傍に加熱室内を照明する光源である上光源と下光源とをそれぞれ設けたものである。
【００１０】
さらに、上受皿もしくは下受皿のうちいずれか一方の受皿しか使用しないときは、いずれか一方の照明窓の光源を消灯するようにしたものである。
【００１１】
また、２つの照明窓の光源を１つの光源で構成したものである。
【００１２】
このような構成をすることにより２段に置かれた受皿において、上受皿と下受皿に載置されている食品が良く見え、食品の加熱の進行状況が良くわかるので食品を失敗無く加熱することができる。
【発明の効果】
【００１３】
本発明の加熱調理器は、食品を収納する加熱室と、加熱室の上部外側に設けられた上ヒータと、加熱室内部に配置され食品を載置する上下２段からなる上受皿、下受皿と、加熱室の底面部に設けられ、食品等を載置可能とした誘電体からなる食品載置板と、高周波を発生するマグネトロンと、このマグネトロンから発生する高周波を加熱室に拡散させる回転アンテナと、上面が前記食品載置板を共有し、底面が金属板で覆われた空隙とを備え、この空隙に前記回転アンテナと、マグネトロンからの高周波を導く導波部を備えた加熱調理器において、加熱室の天井部と上受皿間の加熱室の側壁面に上受皿の食品を照明するための上照明窓を、上受皿と下受皿間の加熱室の側壁面に下受皿の食品を照明するための下照明窓をそれぞれ設け、これらの上照明窓と下照明窓の近傍に加熱室内を照明する光源である上光源と下光源とをそれぞれ設けたことにより、２段におかれた受皿の食品がいずれの受皿の食品でも良く見えるので、食品の加熱状況がわかり、失敗無く食品を加熱することができる。
【００１４】
また、上受皿もしくは下受皿のうちいずれか一方の受皿しか使用しないときはいずれか一方の照明窓の光源を消灯することにより無駄な電気を使用せず省エネ効果をもたらす。
【００１５】
さらに、２つの照明窓の光源を１つの光源で構成することにより電気部品である光源が２個から１個になることにより部品単価の削減、組立費の低減が図られ製造原価が低減される。また、電気代も低減でき省エネ効果をもたらすなどの効果がある。
【発明を実施するための最良の形態】
【００１６】
以下、本発明の実施の形態について図に従って説明する。
【００１７】
図１は、本発明の一実施例における加熱調理器の側面断面図で、１は食品である。２は食品１を収納する加熱室である。３は加熱室２の上部に設けられた上ヒータである。４は加熱室２の後部外側面に設けられた熱風装置で、この熱風装置４の外カバーを構成するケーシング４ｃと、このケーシング４ｃ内の上部側に設けられた熱風ヒータ４ａと、下部側に設けられ風を吹出すファン４ｂと、加熱室２内に吹出す熱風と加熱室２から戻る熱風の風路を仕切るガイド４ｄとで構成されている。
【００１８】
５は送風口で、多数の小孔から構成され、加熱室２の後部壁面に設けられている。この送風口５を通して熱風装置４で発生した熱風を加熱室２に吹出す。６は吸気口で、加熱室２の後部壁面に設けられ、多数の小孔からなり加熱室２内を循環した熱風を熱風装置４に戻すためのものである。
【００１９】
７はヒータ加熱時に食品１を載置する受皿で、上側に備えられる上受皿７aと下側に備えられる下受皿７ｂとで構成されている。８ａは加熱室２の左右側面の内側に突き出すように設けられ、上受皿７ａを固定する上棚である。８ｂは上棚８ａと同じ形状で、下受皿７ｂを固定する下棚である。
【００２０】
９は食品載置板で、誘電体からなり加熱室２の底部に固着している。１０は高周波を発生するマグネトロンである。１１は加熱室２の高周波を均一になるように高周波を拡散させる回転アンテナである。１２は回転アンテナ１１を回転させるモータである。
【００２１】
１３は空隙で、回転アンテナ１１を備え、上面は加熱室２の底面の食品載置板９を共用し、下面は高周波を遮断する金属板１３ａで覆われている。１４は導波部で、金属板１３ａの下部に設けられ、マグネトロン１０が固定されている。１５は中心導体で、導波部１４に固定されているマグネトロン１０から発生した高周波を空隙１３に導くものである。
【００２２】
前記食品載置板９は、加熱室２と高周波を撹拌する回転アンテナ１１が設けられている空隙１３とを仕切るもので、調理によっては直接この食品載置板９に食品１を載置して加熱するなど重要な役割を演じている。従って材質的には衛生的で、耐熱性があり、誘電損失が少なく、機械的強度にも優れる必要がある。
【００２３】
１６ａは上照明窓で、加熱室２の天井部２ａと上受皿７ａとの間の加熱室２の側壁面に設けられている。この上照明窓１６ａは光が通しやすく、高周波が加熱室２から漏洩しない多数の小孔から構成されている。１６ｂは下照明窓で、上受皿７ａと下受皿７ｂとの間の加熱室２の側壁面に設けられている。この下照明窓１６ｂは前記上照明窓１６ａと同じ小孔と形状で構成されている。これら上照明窓１６ａと下照明窓１６ｂとを総称して照明窓１６と称する。
【００２４】
図２は照明窓１６付近の部分断面図で、１７ａは上照明窓１６ａを通して上受皿７ａの食品１を照明する上光源である。１７ｂは下照明窓１６ｂを通して下受皿７ｂの食品１を照明する下光源である。これら上光源１７ａと下光源１７ｂとを総称して光源１７と称する。なお、光源１７は本発明では白熱電球を使用している。
【００２５】
１６ａ１は上照明窓１６ａの上光源１７ａ側に設けられた防水板である。１６ｂ１は下照明窓１６ｂの下光源１７ｂ側に設けられた防水板である。これら防水板１６ａ１、１６ｂ１は加熱中に食品１からでる水蒸気が加熱室２外に漏れないようにするために設けられたもので透明な耐熱ガラスで構成されている。
【００２６】
１８は食品１を加熱室２から出し入れするとき使用する開閉自在なドアである。
【００２７】
次に上記にて構成された本発明の作用について説明する。
【００２８】
加熱調理器の機能の一つであるオーブン機能でクッキーを焼く場合、上受皿７ａに食品（クッキー）１を載置し、ドア１８を開け上棚８ａに固定する。同じように下受皿７ｂにも食品（クッキー）１を載置し、下棚８ｂに固定する。加熱室２の温度設定などを行い加熱スタートすると上ヒータ３や熱風ヒータ４ａ、ファン４ｂなどが作動し熱風が送風口５から加熱室２に吹出し食品１を加熱する。
【００２９】
また、加熱スタートと同時に上光源１７ａと下光源１７ｂが点灯し、加熱室２の壁面に設けられた上照明窓１６ａと下照明窓１６ｂからそれぞれ上受皿７ａと下受皿７ｂに載置された食品１を照明する。従って、受皿７ごとに専用の照明窓１６があり光源１７もあるため食品１の加熱進行状況をよく観察することが可能である。
【００３０】
上記の一実施例では受皿７を２枚使用したものであるが、魚などを焼くとき使用するグリル機能の場合は上ヒータ３のみ使用するため、上棚８ａに固定する上受皿７ａだけに食品１を載置して加熱する。下受皿７ｂは使用しない。
【００３１】
従って、下照明窓１６ｂからの照明は不必要となり図３で示すようにスイッチ１９をＯＦＦすることにより下光源１７ｂを停止させる。
【００３２】
尚、電子レンジ機能の場合、食品１を食品載置板９に載置してマグネトロン１０から発生した高周波が導波部１４を通って空隙１３に入り、ここにある回転アンテナ１１で撹拌して食品１に放射して加熱するためグリル機能と同じように２つの光源１７は不必要で片方だけの照明ですますことができる。
【００３３】
また、図４は本発明の他の実施例を示す光源１７を一つにした例で、光源１７から出た光を照明窓１６に導くため反射板２０で光源１７を囲むように設け、できるだけ多くの光を照明窓１６を通して加熱室２に導くようにする。こうしたことにより電気部品である光源１７が２個から１個になることにより部品単価の削減、組立費の低減が図られ製造原価が低減される。
【００３４】
このように受皿７を２段で使用してもそれぞれに照明窓１６が設けられているため、ここからの照明で受皿７の食品１を照らしだすため食品１をよく観察することができ、食品１の加熱進行がわかり、加熱過ぎとか加熱不足などの問題が解消され、失敗なく食品１を仕上げることができる。
【図面の簡単な説明】
【００３５】
【図１】本発明の一実施例における加熱調理器の側面断面図である。
【図２】図１における照明窓付近の部分断面図である。
【図３】本発明における光源の電気回路図である。
【図４】本発明の他の実施例における光源が一つの場合の構成断面図である。
【図５】従来の加熱調理器の側面断面図である。
【符号の説明】
【００３６】
１・・・・食品
２・・・・加熱室
２ａ・・・天井部
７・・・・受皿
７ａ・・・上受皿
７ｂ・・・下受皿
９・・・・食品載置板
１０・・・マグネトロン
１１・・・回転アンテナ
１３・・・空隙
１３ａ・・金属板
１４・・・導波部
１６・・・照明窓
１６ａ・・上照明窓
１６ｂ・・下照明窓
【図１】
2005098601.tif 000003
【図２】
2005098601.tif 000004
【図３】
2005098601.tif 000005
【図４】
2005098601.tif 000006
【図５】
2005098601.tif 000007